(57)【要約】      （修正有）【課題】  薄く明るく立体的にして３次元的な額縁付きのディスプレー装置を提供する。【解決手段】  透明樹脂板１１の表面及び裏面の外周部にモアレ形成パタン１３，１４を配置することによってモアレ現象による額縁パタン部１２を備え且つその面内に透明のままの透光窓部１５を配置したディスプレー基板１を形成し，その透光窓部１５の背面に透光性ポジフィルム３を配置するとともにバックライト２を設置することによってディスプレー装置Ａとする。額縁パタン部１２が浮き上がるように視認され，ポジフィルムが額縁内の底面に位置して凹陥するように視認されて，バックライトの背面照明によって宣伝広告用や装飾用に好適な３次元立体的のものとなる。【選択図】  図１
2005025099.tif 000002
【特許請求の範囲】
【請求項１】
表面側にモアレ現象の囲繞枠を表出するように表面外周部及び裏面外周部に相互に干渉する所定幅のモアレ形成パタンを配置することによって透明樹脂板の外周に形成した額縁パタン部と上記表面外周部及び裏面外周部の面内部分を透光面とすることによって透明樹脂板の上記額縁パタン部内に形成した表面及び裏面の透光窓部を備えたディスプレー基板と，該ディスプレー基板の背面にその全面に亘るように配置したエッジライト方式のバックライトと，上記ディスプレー基板の表面又は裏面の片側一方の透光窓部に密着配置した透光性ポジフィルムとを備えてなることを特徴とするディスプレー装置。
【請求項２】
上記ディスプレー基板の額縁パタン部を形成する裏面外周部所定幅のモアレ形成パタンを透明樹脂基板の外周側において粗とし面内側において密とするように密度段階変化乃至無段階変化の粗密パタンによって形成してなることを特徴とする請求項１に記載のディスプレー装置。
【請求項３】
上記ディスプレー基板における表面の透光窓部又はその透光性ポジフィルムに小物体を載置固定してなることを特徴とする請求項１又は２に記載のディスプレー装置。
【発明の詳細な説明】
【技術分野】
【０００１】
本発明は広告宣伝，装飾用等に使用するディスプレー装置に関する。
【背景技術】
【０００２】
透明樹脂シートの表面及び裏面の全面に相互に干渉するモアレ形成パタンを配置することによって３次元的な立体模様を表出する，例えばテーブルカバー，窓飾りシート等の用途を意図した装飾シートが知られており，これによるとモアレ形成パタンは表面及び裏面にドット模様の印刷を施し，また表面にレンズ模様を，裏面にドット模様の印刷を施したもの等とされ，これら表面と裏面のモアレ形成パタンのモアレ現象によって裏面の模様を立体的に視認し得るようにすることによって立体感を与えるようにしたものとされる。
【０００３】
【特許文献１】特開平１１−１８９０００号
【特許文献２】特開２０００−３７９９５号
【発明の開示】
【発明が解決しようとする課題】
【０００４】
この場合樹脂のシートをベースとしてその全面にモアレ状の模様を立体的に表出することによって主として装飾シートとして使用するものとされるが，薄いベースの表裏にモアレ形成パタンを配置することによって立体感を得られる点に着目すると，上記装飾シート以外にも多用途の，例えば商業的乃至家庭的利用の可能性が残されているものと見られる。
【０００５】
そこで本発明は，この立体模様表出技術を更に発展的に活用することによって，例えば自立スタンド型，壁付型等の広告宣伝用に用い，また公共施設，家庭等の装飾用に用いるに好適なディスプレー装置を提供することを解決課題とする。
【課題を解決するための手段】
【０００６】
上記課題に添って検討したところ，透明樹脂板を用いてその表面及び裏面の外周部にモアレ形成パタンを配置するとともにその内部を透明樹脂板のままにして表面から裏面に透過する透光性のものとすると，モアレ形成パタンが透明樹脂板の外周部にこれを囲繞するように立体的に表面側に浮き上がる虚像の額縁を形成する３次元的なモアレ現象を呈するとともに透明樹脂板のままの透光部分がこの虚像の額縁に囲まれた底面をなすように立体的に凹陥した印象を呈するものとなり，その表面又は裏面の透光部分に写真，絵等を配置すると，これらを虚像の額縁内に設置したような３次元的立体感を呈するものとし得る上，その際配置物を透光性ポジフィルムとし，透明樹脂板の背面全面にバックライトを配置すると，透明樹脂板の上記モアレ形成パタン及び透明部分が均一に背面照明されることによって，１〜２ｃｍ程度以下の薄さでありながら明るく立体的で人目につき易いことにより注目度の大きい，スタンド型，壁付型等各種の宣伝広告や装飾に好適なディスプレー装置とし得るとの知見を得た。
【０００７】
本発明はかかる知見に基づいてなされたもので，即ち請求項１に記載の発明を，表面側にモアレ現象の囲繞枠を表出するように表面外周部及び裏面外周部に相互に干渉する所定幅のモアレ形成パタンを配置することによって透明樹脂板の外周に形成した額縁パタン部と上記表面外周部及び裏面外周部の面内部分を透光面とすることによって透明樹脂板の上記額縁パタン部内に形成した表面及び裏面の透光窓部を備えたディスプレー基板と，該ディスプレー基板の背面にその全面に亘るように配置したエッジライト方式のバックライトと，上記ディスプレー基板の表面又は裏面の片側一方の透光窓部に密着配置した透光性ポジフィルムとを備えてなることを特徴とするディスプレー装置としたものである。
【０００８】
請求項２に記載の発明は，上記に加えて，裏面外周部所定幅のモアレ形成パタンをその密度を幅方向に密とするように段階的とし，また無段階的とすることによって，虚像の額縁のモアレ現象を促進し，ディスプレー装置としての３次元的立体感を増進し得ることから，これを，上記ディスプレー基板の額縁パタン部を形成する裏面外周部所定幅のモアレ形成パタンを透明樹脂基板の外周側において粗とし面内側において密とするように密度段階変化乃至無段階変化の粗密パタンによって形成してなることを特徴とする請求項１に記載のディスプレー装置としたものである。
【０００９】
請求項３に記載の発明は，同じく上記に加えて，背面の透光窓部にポジフィルムを配置したときは正面の透光窓部に，正面の透光窓部にポジフィルムを配置したときは，該ポジフィルムに，広告宣伝用のディスプレー装置にあっては，例えば商品のパッケージ，サンプル等，装飾用のディスプレー装置にあっては土産品，記念品等の小物品を載置固定すると，該小物品が虚像の額縁の奥行感のなかに実像として違和感なくマッチして入り込むとともに実像としてポジフィルムの面から浮き出すような外観を呈することによって，ディスプレー装置としての価値向上に有益であることから，これを，上記ディスプレー基板における表面の透光窓部又はその透光性ポジフィルムに小物体を載置固定してなることを特徴とする請求項１又は２に記載のディスプレー装置としたものである。
【００１０】
本発明はこれらを発明の要旨として上記課題解決の手段としたものである。
【発明の効果】
【００１１】
本発明は以上のとおりに構成したから，表面及び裏面の外周部に形成したモアレ形成パタンが干渉してモアレ現象を生じ，額縁パタン部が透明樹脂板を囲繞するように立体的に表面側に浮き上がる虚像の額縁を形成する３次元的なモアレ現象を呈するとともに透明樹脂板のままの透光部分がこの虚像の額縁に囲まれた底面をなすように立体的に凹陥するように視認され，バックライトの背面照明によって，全体として１〜２ｃｍ程度以下の薄さでありながら明るく３次元立体的にして宣伝広告や装飾に好適なモアレ現象を利用した虚像の額縁付きの，例えば自立スタンド型，壁付型等として広告宣伝用に用い，また公共施設，家庭等の装飾用に用いるに好適なディスプレー装置を提供することができる。
【００１２】
請求項２に記載の発明は，上記に加えて，裏面外周部所定幅のモアレ形成パタンをその密度を幅方向に密とするように段階的とし，また無段階的とすることによって，虚像の額縁のモアレ現象を促進し，ディスプレー装置としての３次元的立体感を増進することができる。
【００１３】
請求項３に記載の発明は，小物品が虚像の額縁の奥行感のなかに実像として違和感なくマッチして入り込むとともに実像としてポジフィルムの面から浮き出すような外観を呈するものとすることができる。
【発明を実施するための最良の形態】
【００１４】
以下図面の例に従って本発明を更に具体的に説明すれば，Ａはディスプレー装置であり，該ディスプレー装置Ａは，ディスプレー基板１と，バックライト２と，ポジフィルム３とを備えたものとしてあり，例えばスタンドベースにこれを起立配置してその内蔵した光源によって照明するスタンド型とし，また壁面固定用の外枠を配置するか，ネジ穴等の壁面直付固定用の措置を施し，その任意の端縁乃至対向する端縁に配置した光源によって照明する壁付型として使用するようにしてある。
【００１５】
ディスプレー基板１は，透明樹脂板１１と，その外周に形成した額縁パタン部１２と，該額縁パタン部１２内に形成した透光窓部１５とを備えたものとしてある。
【００１６】
透明樹脂板１１は，例えばアクリル，ポリカーボネート等の厚さを数ｍｍ，大きさをＡ４サイズより幾分大きめのものを用いてある。
【００１７】
額縁パタン部１２は，表面側にモアレ現象の囲繞枠を表出するように表面外周部及び裏面外周部に相互に干渉する所定幅のモアレ形成パタン１３，１４を配置することによって，外周部にモアレ干渉による虚像の額縁１６を形成するようにしてあり，本例にあって該モアレ形成パタン１３，１４は，上記透明樹脂板１１に，例えば印刷によって形成したものとしてあり，本例にあって該モアレ形成パタン１３，１４は，例えば透明樹脂板１１の左右において７ｃｍ程度，上下において５ｃｍ程度の幅とし且つ表面外周部及び裏面外周部において同一乃至近似の幅としてあり，このとき本例の額縁パタン部１２は，これを形成する裏面外周部所定幅のモアレ形成パタン１４を透明樹脂板の外周側において粗とし面内側において密とするように密度段階変化乃至無段階変化の粗密パタンによって形成したものとし，これによってディスプレー装置Ａとしてその虚像の額縁１６の３次元立体感を増進したものとしてある。
【００１８】
本例にあって表面外周部のモアレ形成パタン１３は，これを透明の半球突起を，例えば密度を１０乃至２０線程度，本例にあっては１５線程度とするように縦横等間隔のマトリックス状に配置した半球突起パタンとしてある。この半球突起パタンの形成は，例えば透明インクを透明樹脂板１１の表面に印刷してＵＶ硬化させることによって半球形状の崩れのないようにこれを行なったものとしてある。
【００１９】
裏面外周部のモアレ形成パタン１４は，これを地色面とこれに配置した異色のドット模様を，上記表面外周部のモアレ形成パタン１３と同一乃至これに近い密度によって同じく縦横等間隔のマトリックス状に配置したドット模様パタンとしてある。このドット模様パタンの形成は，透明樹脂板１１の裏面外周部に異色の，例えばブルーインクのドット印刷を施した後に，該外周部の全面に地色の，例えば白色インクの全面印刷を施すことによって地色とドット模様の色を違えるように行なったものとしてある。また額縁パタン部１２の粗密パタン化は，例えば外周側の密度を上記表面外周部のモアレ形成パタン１３と同一の１５線とし，その面内側において１７，８線とし，面内側のドット径と間隔を縮小することによって行なってある。このとき本例の密度変化は，外周側と面内側の幅比率を２：１乃至３：１程度とするようにしてある。
【００２０】
透光窓部１５は，上記表面外周部及び裏面外周部の面内部分を透光面とすることによって透明樹脂板１１の上記額縁パタン部１２内に形成した表面及び裏面のものとしてある。
【００２１】
透光窓部１５は，本例にあって透明樹脂板１１の透明性を残すように未加工のままとして，これを表面及び裏面において同一面積に形成した透明面をなすものとしてある。
【００２２】
バックライト２は，上記ディスプレー基板１の背面にその全面に亘るように配置したエッジライト方式のものとしてあり，これによってディスプレー装置Ａとしての厚さを上記ディスプレー基板１と該バックライト２の，一般に数ｍｍ程度の厚さの合計寸法として，概ね１〜２ｃｍ程度乃至それ以下の可及的に薄型のものとするとともに均一にして高輝度の照明をなし得るようにしてある。
【００２３】
即ちバックライト２は，アクリル，ポリカーボネート等の透明樹脂板２２の裏面全面にドット，ライン等による導光パタン２３を形成した導光板２１と，その背面の反射シート２４と，その表面の光拡散シート２５とを備え，導光板２１の左右乃至上下の対向端面又はその一方の端面を入射端面とし，これに図示省略の冷陰極蛍光灯あるいは熱陰極蛍光灯を臨設し，入射端面から入射光を供給し，導光パタン２３によって光源離隔方向に導光して均一な面発光を行なうようにしてあり，このとき反射シート２４は導光に伴う裏面からの光の放出を防止し，また光拡散シート２５は，導光による照明光を乱反射して導光パタン２３が表面に表れるのを防止するために用いたものとしてある。
【００２４】
ポジフィルム３は，上記ディスプレー基板１の表面又は裏面の片側一方の透光窓部１５に密着配置した透光性のものとしてあり，例えばポスターや適宜の写真等をポジフィルム化することによってディスプレー装置Ａを広告宣伝用のものとし，装飾用のものとすることができるようにしてある。本例のポジフイルム３は，これをディスプレー基板１とバックライト２，本例にあってはその光拡散シート２５との間に介設するように配置してあり，これによって，例えば電車車両の壁面，公共施設の壁面，店舗のカウンター等の人が接触する可能性がある箇所に使用しても，ディスプレー装置Ａの厚さを変化することなく，ポジフィルム３のめくれ，傷，破損，盗難等から保護するとともに蛍光灯，直射日光等による退色から保護することができるようにしてある。このときポジフィルム３の配置は，例えばバックライト２の照明光を低下することのないように，例えば自己接着性を備えた透明シート３１を用い，ディスプレー基板１裏面の透光窓部１５にポジフィルム３を重ね，該透明シート３１をディスプレー基板１の裏面全面に接着してポジフィルム３をディスプレー基板１に一体的に保持するようにし，これに該透明シート３１を介してバックライト２を重合配置したものとしてある。
【００２５】
また図中４は，上記ディスプレー基板１における表面の透光窓部１５又はその透光性ポジフィルム３に載置固定した小物体であり，例えば上記ポスターをポジフィルム化した広告宣伝用のディスプレー装置Ａにあって該広告宣伝商品のパッケージやサンプルを使用し，また写真をポジフィルム化した装飾用のディスプレー装置Ａにあって当該写真撮影時の土産物や記念品を使用することによって，小物体４が虚像の額縁奥行感のなかに入り込むとともにポジフィルム３から実像として浮き出すような好ましい３次元的立体感に富む外観を呈するものとすることができる。本例にあって該小物体４の載置固定は，例えば小物体４を透光窓部１５に接着固定し，ポジフィルム３の画面と調和するように配置してある。
【００２６】
本例のディスプレー装置Ａは，表面及び裏面の外周部に形成したモアレ形成パタン１３，１４が干渉してモアレ現象を生じ，額縁パタン部１２が透明樹脂板１１を囲繞するように立体的に表面側に浮き上がって虚像の額縁１６を形成する如くに視認されるとともに透光窓部１５に設置したポジフィルム３がこの虚像の額縁１６内底面に位置して凹陥するように視認され，バックライト２の背面照明によって，全体として１〜２ｃｍ程度以下の薄さでありながら明るく３次元立体的にして宣伝広告や装飾に好適なモアレ現象を利用した虚像の額縁付きのものとなし得た。またこのとき裏面外周部所定幅のモアレ形成パタン１４の密度を変化したことによって虚像の額縁１６が更に浮き上がるように立体感が増進されて額縁状のディスプレー装置Ａとして更に好ましいものとなり，更に小物体４を配置したことによって該小物品４が虚像の額縁１６の奥行感のなかに実像として違和感なくマッチして入り込むとともに実像としてポジフィルム３の面から浮き出すような外観を呈することによって，ディスプレー装置Ａとしての価値向上に有益なものとなった。
【００２７】
図示した例は以上のとおりとしたが，モアレ形成パタンを表面側及び裏面側双方にドット模様によるものとする等上記以外にモアレ現象を生じるパタンを用いること，ポジフィルムの配置をディスプレー基板の表面側の透光窓部に対して行なうこと，透光窓部を粗面化した透光面とすること，このとき上記バックライトに光拡散シートの使用を省略すること，裏面外周部所定幅のモアレ形成パタンを密度変化するとき，更に密度変化の数を増加し，上記２段階の密度パタンによるものの他，３乃至それ以上の段階的とすることによって額縁の立体感を階段状に奥行感のあるものとし，また密度変化を無段階的とすることによって額縁の立体感を傾斜状に奥行感のあるものとすること，小物品の載置固定をするとき，ディスプレー装置に，正面を透明とするケースを用いて，該小物品への接触をなし得ないようにすること，導光板の導光パタンを細密とすることによって光拡散シートの設置を省略すること等を含めて，本発明の実施に当って，透明樹脂板，モアレ形成パタン，額縁パタン部，透光窓部，ディスプレー基板，エッジライト方式のバックライト，透光性ポジフィルム，必要に応じて用いるモアレ形成パタンの密度変化，小物品の具体的形状，構造，材質，これらの関係，これらに対する付加等は，上記発明の要旨に反しない限り様々な形態のものとすることができる。
【図面の簡単な説明】
【００２８】
【図１】ディスプレー装置の斜視図である。
【図２】ディスプレー装置の分解斜視図である。
【符号の説明】
【００２９】
Ａ  ディスプレー装置
１  ディスプレー基板
１１  透明樹脂板
１２  額縁パタン部
１３  モアレ形成パタン
１４  モアレ形成パタン
１５  透光窓部
１６  虚像
２  バックライト
２１  透明樹脂板
２２  導光パタン
２３  反射シート
２４  光拡散シート
３  ポジフィルム
３１  透明シート
４  小物体
【図１】
2005025099.tif 000003
【図２】
2005025099.tif 000004